(57)【要約】【課題】筋力の低下、または負傷等によって歩行が困難になったペットのふらつき、転倒などを防止し、着脱がしやすく、良好な装着性のもとで歩行をサポートできるハーネスとする。【解決手段】ペット用ハーネス１は、ペット５の胴体部を少なくとも背部後方から尾部近傍にかけて覆う背当て部２と、この背当て部２から延設されて背当て部２を胴体に固定する腹当て部３と、左右の後足５２，５２をそれぞれ上方へ支持可能な後足保持部４，４とを備えて胴回りに装着可能とされている。各後足保持部４は環状に形成されて、背当て部２に取り付けられており、その上部が持ち手４２とされるとともに、その下部において後足５２を挿通させ、後足５２の付け根部分を保持しうるように形成されている。【選択図】図１
2007159441.tif 000002
【特許請求の範囲】
【請求項１】
ペットの胴体部を少なくとも背部後方から尾部近傍にかけて覆う背当て部と、この背当て部から延設されて背当て部を胴体に固定する腹当て部と、左右の後足をそれぞれ上方へ支持可能な後足保持部とを備えて胴回りに装着可能とされ、
各後足保持部は環状に形成されて背当て部に取り付けられており、その上部が持ち手とされるとともに、その下部において後足を挿通させて付け根部分を保持しうるように形成されていることを特徴とするペット用ハーネス。
【請求項２】
各後足保持部は後足の付け根部分に対して略Ｕ字状となるように、背当て部の左右両側部にそれぞれ備えられ、略Ｕ字状の一方が背当て部に固定されるとともに、他方が背当て部に対して上下方向にスライド可能に取り付けられていることを特徴とする請求項１に記載のペット用ハーネス。
【請求項３】
各後足保持部は後足の付け根部分に対して略Ｕ字状となるように、背当て部の左右両側部にそれぞれ備えられ、略Ｕ字状の一方が背当て部に固定されるとともに、他方が背当て部に対して着脱可能に取り付けられていることを特徴とする請求項１または請求項２に記載のペット用ハーネス。
【請求項４】
背当て部は左右に二分割されて互いに結合可能に形成されるとともに、分割された左右の背当て部が腹当て部によって連結されていることを特徴とする請求項１〜請求項３のいずれかに記載のペット用ハーネス。
【請求項５】
請求項４に記載のペット用ハーネスにおいて、分割された左右の背当て部の結合部にはスライドファスナーが備えられていることを特徴とするペット用ハーネス。
【請求項６】
背当て部は、胴体に接する裏地がメッシュ地で形成されていることを特徴とする請求項１〜請求項５のいずれかに記載のペット用ハーネス。
【請求項７】
腹当て部は、背当て部に対して、面ファスナーにより着脱自在に形成されていることを特徴とする請求項１〜請求項６のいずれかに記載のペット用ハーネス。
【請求項８】
腹当て部は、胴体に接する裏地がメッシュ地で形成されていることを特徴とする請求項１〜請求項７のいずれかに記載のペット用ハーネス。
【請求項９】
後足保持部は、後足の付け根部分に接する部分がクッション性を有するメッシュ地で形成されていることを特徴とする請求項１〜請求項８のいずれかに記載のペット用ハーネス。
【請求項１０】
後足保持部には調節具が介装されて長さ調節自在とされたことを特徴とする請求項１〜請求項９のいずれかに記載のペット用ハーネス。
【発明の詳細な説明】
【技術分野】
【０００１】
本発明は、ペットの歩行を補助するペット用ハーネスに関する。
【背景技術】
【０００２】
従来から、犬などに代表されるペットを散歩させるときには、行動範囲を制限するためにリード等を首などの胴体に取り付けて、飼い主と繋ぎとめるようにすることが一般的である。また、このようなリードとは別に、老化にともなってペットの筋力や視力が低下したり、負傷したりしたときには、歩行時のふらつきや転倒を防止するためのペット用の歩行補助具が各種提案されている。
【０００３】
例えば特許文献１に開示されているペット用歩行補助具は、前端に把持部が設けられた左右一対の支持杆の後端部の対向する間隔を、ペットの腰部の幅または胴部の幅よりも大きくなるように設けるとともに、後端部に車輪をそれぞれ回転自由に設けられたものである。そして、支持杆の他端部寄りに立設された支柱杆には天秤棒部材が取り付けられ、その天秤棒部材の一端にはペットの腹部を支承するための吊り上げベルト体が設けられている。また、天秤棒部材の他端には、ペットの胸部に取り付けるハーネスを留め具によってそれぞれ着脱自在に設けて、把持部の高さ位置を変えることでペットを支承するときに生ずる負荷を調節できるように形成されている。そして、かかる歩行補助具をペットに装着させることによって、歩行時の足腰にかかる負荷を軽減し、老化や負傷によって困難になった歩行をサポートできるように意図されている。
【特許文献１】特開２００５−２２号公報
【発明の開示】
【発明が解決しようとする課題】
【０００４】
上記のような歩行補助具は、ペットを安定して支持することができるが、補助具自体が大きく、操作しづらいという問題点がある。また、前記歩行補助具は、ペットの前足の周囲や腹部に装着されるハーネスおよびパッドが、幅の細いベルト状に形成されて胴体を支持するようになっているので、これらのハーネスやパッドが胴体に食い込んでペットに局部的な負担がかかりやすいという問題点もあった。すなわち、前記従来例のような歩行補助具では、ペットの足腰にかかる負荷は軽減されるが、その分、胴体部への負担が大きくなって装着性の悪いものであった。
【０００５】
そこで本発明は、上記のような問題点にかんがみてなされたものであり、筋力の低下、または負傷等によって歩行が困難になったペットの腰部を支えて、歩行時のふらつきや転倒などを防止し、着脱がしやすく、良好な装着性のもとで歩行をサポートすることのできるペット用ハーネスを提供するものである。
【課題を解決するための手段】
【０００６】
上記した目的を達成するため、本発明に係るペット用ハーネスは、ペットの胴体部を少なくとも背部後方から尾部近傍にかけて覆う背当て部と、この背当て部から延設されて背当て部を胴体に固定する腹当て部と、左右の後足をそれぞれ上方へ支持可能な後足保持部とを備えて胴回りに装着可能とされ、各後足保持部は環状に形成されて背当て部に取り付けられており、その上部が持ち手とされるとともに、その下部において後足を挿通させて付け根部分を保持しうるように形成されていることを特徴とする。
【０００７】
このような構成により、ハーネスを使用したペットの歩行時、ペットの胴体にかかる力を分散させながら後足の動きをサポートすることができ、ペットの後足にかかる負担を軽減しつつ歩行を補助することができる。
【０００８】
また、本発明は上記構成のペット用ハーネスにおいて、各後足保持部は後足の付け根部分に対して略Ｕ字状となるように、背当て部の左右両側部にそれぞれ備えられ、略Ｕ字状の一方が背当て部に固定されるとともに、他方が背当て部に対して上下方向にスライド可能に取り付けられるか、背当て部に対して着脱可能に取り付けられていることを特徴とする。
【０００９】
このような構成によれば、後足保持部は背当て部に対して一箇所で固定されているだけであり、略Ｕ字状の他方の背当て部に対する取付位置を適宜変更して、後足に対する大きさを調節することができるので、容易に装着させたり取り外したりすることができる。
【００１０】
ここで、前記背当て部は左右に二分割されて互いに結合可能に形成されるとともに、分割された左右の背当て部が腹当て部によって連結されていてもよい。また、前記の分割された左右の背当て部の結合部にはスライドファスナーが備えられていることが好ましく、このスライドファスナーを適宜開閉することにより、左右の背当て部を互いに結合または分離可能とすることができる。
【００１１】
このように構成されることで、背当て部および腹当て部をペットに装着させたり取り外したりしやすくなる。
【００１２】
また、ペットへの装着性を高めるため、背当て部または腹当て部は、胴体に接する裏地がメッシュ地で形成されていることが好ましい。
【００１３】
このように裏地がメッシュ地からなることで、耐久性や通気性が高められるとともに、ペットにかかる負担を軽減して良好な装着感のもとで長期にわたって使用することが可能となる。このメッシュ地には、通気性、柔軟性、および適度な弾力性のある素材であればどのようなものでもよく、例えばダブルラッセル織物等の編地を用いることが好ましい。
【００１４】
また、本発明は上記構成のペット用ハーネスにおいて、前記腹当て部は、背当て部に対して、面ファスナーにより着脱自在に形成されていることが好ましい。
【００１５】
また、ペットへの装着性を高めて、後足にかかる負担を軽減するためには、前記後足保持部は、後足の付け根部分に接する部分がクッション性を有するメッシュ地で形成されていることが好ましい。
【００１６】
さらに、使いやすさを考慮すれば、前記後足保持部には調節具が介装されて長さ調節自在とされることが好ましい。
【発明の効果】
【００１７】
上述のように構成される本発明のペット用ハーネスによれば、ペットの腰部を支持することにより、筋力の低下や負傷等によって歩行が困難になったペットのふらつき、転倒などを防止し、良好な装着性のもとで歩行をサポートすることが可能となる。また、飼い主にとっては、ペットへの着脱がしやすく、非常に使いやすいハーネスとすることができる。
【発明を実施するための最良の形態】
【００１８】
以下、本発明に係るペット用ハーネスを実施するための最良の形態について、図面を参照しつつ説明する。
【００１９】
図１〜図３は本発明のペット用ハーネスの一例を示し、図１はペット用ハーネスの装着時を示す説明図、図２はペット用ハーネスの平面図、図３は前記ハーネスの背当て部を開いた状態を示す展開図である。
【００２０】
なお、本実施形態では、本発明を犬用のハーネスに適用した例について説明する。また、説明上、ハーネスにおける前後および左右の方向性を、ハーネスを犬に装着させたときの状態を基準として前後および左右を規定し、各部の説明を行うこととする。また、本発明のペット用ハーネスは、犬用のハーネスに適用するに限らず、四足歩行のペット全般に適用することができる。
【００２１】
このハーネス１は、犬５の胴回りに装着される背当て部２および腹当て部３と、左右の後足５２，５２に装着される後足保持部４，４を備えている。
【００２２】
背当て部２は、犬５の胴体部を少なくとも背部の後方（腰部）から尾部５１の近傍にかけて覆うことのできる大きさで形成されている。例示の形態では、ちょうど犬５の背部のほぼ真ん中辺りから、尾部５１の付け根周囲、およびこれらの背部や尾部５１の左右両側面までを包囲しうる大きさ、形状で形成されている。
【００２３】
この背当て部２において、特に、尾部５１の付け根部分を覆う後側被覆部２１は、尾部５１の周囲に略Ｕ字状をなす形状に形成され、尾部５１の上部、および左右側面だけを覆って、尾部５１の付け根の裏側部分については開放されている。これにより、犬５に背当て部２を装着させた状態でも、排尿・排便をおこなうことができるように配慮されている。
【００２４】
また、かかる背当て部２は、ちょうど犬５の背骨ラインで左右に二分割して形成されている。分割された左右の背当て部２の結合部には、スライドファスナー２２が備えられており、スライドファスナー２２を適宜開閉することにより、左右の背当て部２を互いに結合または分離可能となされている。
【００２５】
ハーネス１の腹当て部３は、背当て部２から連設されており、分割された左右の背当て部２を連結するとともに、結合した左右の背当て部２を犬５の胴体に固定する作用をなす。例示の形態では、腹当て部３は、その表面側に添設された帯布３１が背当て部２の前方部分に縫合固定されており、背当て部２の左右側面から犬５の腹部にかけて架設されることにより背当て部２と一体となるように構成されている。また、この腹当て部３は、帯布３１よりもやや幅広に形成されており、ちょうど犬５の腹部に当接するように形成されている。
【００２６】
腹当て部３は、背当て部２の左右側面に対して面ファスナー３２により着脱自在に設けられている。すなわち、腹当て部３の帯布３１の先端部には面ファスナー３２が添設されており、背当て部２に設けられた帯布挿通部２３に帯布３１を挿通させて適宜の位置で折り返し、重ね合わせて面ファスナー３２を係着させることで、腹当て部３が背当て部２と一体に連設されるように構成されている。これにより、腹当て部３と背当て部２とがなす内周サイズを、犬５の胴回りのサイズに合わせて調節することができるようになっている。
【００２７】
なお、かかる面ファスナー３２は、腹当て部３の帯布３１の先端部に設けて折り返して結着する構成だけでなく、腹当て部３の帯布３１と背当て部２との双方にそれぞれ設けて、腹当て部３と背当て部２とが互いに係着しうるように構成されてもよい。
【００２８】
また、図示するようにハーネス１においては、背当て部２および腹当て部３は、それぞれ、犬５に装着した際に犬５の胴体に接する裏地２ａ，３ａと、その表面側の表地２ｂ，３ｂとが一体に重ね合わせて形成されている。このうち、表地２ｂ，３ｂには、適度な柔軟性と耐久性を備えた素材であればどのようなものが用いられてもよく、例えば、ポリエステル繊維などの合成繊維や、綿などの天然繊維が挙げられる。また、裏地２ａ，３ａには、表層のメッシュ織物と裏層のクッション材とを一体化して、通気性、柔軟性、および適度な弾力性を有するように形成されているダブルラッセル織物などのメッシュ地が用いられることが好ましい。
【００２９】
そして、このような表地２ｂ，３ｂと裏地２ａ，３ａとを重ね合わせて、外周縁がパイピングされることにより一体化され、背当て部２および腹当て部３が形成されている。
【００３０】
次に、ハーネス１の後足保持部４，４について説明すると、例示の形態では、帯布４１が環状に形成されて、左右の背当て部２それぞれに取り付けられている。このような後足保持部４，４は、その上部が持ち手４２とされるとともに、その下部において後足５２，５２を挿通させて、その付け根部分を保持しうるようになっている。
【００３１】
図２、図３に示すように、持ち手４２には握り部４３が備えられていてもよい。この握り部４３は、ダブルラッセル織物等のメッシュ地を２枚重ね合わせて柔軟性および通気性をもたせ、外周縁がパイピングされることにより一体となされ、図示しない面ファスナー等により帯布４１のまわりに着脱可能に形成されている。このような柔軟性や通気性に富む素材から握り部４３が形成されていることにより、ハーネス１の使用時、手にやさしく握りやすい。
【００３２】
また、各後足保持部４の下部は、犬５の左右の後足５２，５２を挿通させる挿通部４４となっている。この挿通部４４は、ちょうど後足５２，５２の付け根の当接する部分が、メッシュ地で形成され、帯布４１に巻き付けられて適度なクッション性を有するように形成されている。メッシュ地としては、表層のメッシュ織物と裏層のクッション材とを一体化して、通気性、柔軟性、および適度な弾力性を有するように形成されているダブルラッセル織物が好ましい。
【００３３】
また、各後足保持部４の挿通部４４は、後足５２，５２の付け根部分に対して略Ｕ字状となるように、背当て部２の左右両側部にそれぞれ備えられており、略Ｕ字状の一方が背当て部２に縫合されて固定されている。そして、略Ｕ字状をなす挿通部４４の他方は、背当て部２に対してスライド可能かつ着脱可能に備えられている。
【００３４】
すなわち、図２に例示するように、背当て部２の後側被覆部２１に、挿通部４４の一端の帯布４１が縫合固定されているのに対し、挿通部４４の他端の帯布４１は、背当て部２の側面に取り付けられた帯布押さえ部２４によって背当て部２に沿うように押さえられている。この帯布押さえ部２４は、帯状の布部材であり、一端が背当て部２の側面に縫いつけられて、他端がボタン、フックなどの止着具２４１によって背当て部２に着脱可能となされている。
【００３５】
これにより、各後足保持部４は、帯布４１が帯布押さえ部２４の内側に通されて、背当て部２の側面に沿って押さえられている。このとき、挿通部４４は略Ｕ字状をなし、背当て部２の外周縁２０と挿通部４４とによって環状となる。また、挿通部４４は一端が固定され、他端は帯布押さえ部２４に通されているだけであるので、他端側を引っ張れば帯布４１を帯布押さえ部２４の内側でスライドさせることができる。
【００３６】
したがって、帯布４１を上方（図１における矢符Ａ方向）へ引っ張ると、背当て部２の外周縁２０と挿通部４４とで形成される環の大きさを小さくすることができる。また、帯布押さえ部２４の止着具２４１を外して広げると、挿通部４４の他端は背当て部２の側面から遊離するので、その形状を自由に変えることができる。
【００３７】
このような後足保持部４，４の長さは、例えば飼い主が犬５を散歩させながら持ち手４２を把持することができる程度の長さを有するように形成されている。また、左右の後足保持部４，４の持ち手４２を一緒に握り部４３で束ねて、片手でも持ちやすいようにすることもできる。
【００３８】
また、これらの後足保持部４，４には調節具４５が介装されている。この調節具４５によって、持ち手４２の長さを自由に調節することができるようになされており、飼い主によって持ち手４２を引いたりゆるめたりするのに適した長さにすることができる。
【００３９】
このように構成されるハーネス１を犬５の胴回りに装着するには、まず、背当て部２のスライドファスナー２２を開けるとともに、腹当て部３の帯布３１先端部の面ファスナー３２をはずすなどして腹当て部３と背当て部２との連設状態を緩める。
【００４０】
次に、これらの背当て部２および腹当て部３を犬５の胴回りにあてがい、背当て部２のスライドファスナー２２を閉めて装着させる。また、背当て部２および腹当て部３を、犬５の胴回りにフィットさせるために、腹当て部３の帯布３１に設けられた面ファスナー３２の折り返し位置を調節して係着し直し、装着サイズを調節する。このとき、犬５と腹当て部３との間に、指が２〜３本入る程度のゆとりがあるサイズを目安として腹当て部３を調節することが好ましい。
【００４１】
次に、背当て部２の帯布押さえ部２４を介して後足保持部４をスライドさせ、挿通部４４をゆるめる。そして、この挿通部４４を、ちょうど後足５２，５２の内側にメッシュ地部分が位置するように配置する。
【００４２】
続いて、帯布４１が帯布押さえ部２４の内側に通されて、背当て部２に取り付けられていることを確認し、帯布４１を上方へ引いて挿通部４４の大きさを調節して、犬５の後足５２，５２まわりフィットさせる。
【００４３】
ここで、各後足保持部４の挿通部４４に犬５の各後足５２を通すとき、この後足保持部４が背当て部２に対して一箇所で固定されているだけであり、挿通部４４を背当て部２から大きく引き離したり、形状を自由に変えたりすることができるので、犬５に対して容易に装着させることができる。
【００４４】
したがって、後足保持部４の帯布４１を帯布押さえ部２４を介して上下方向にスライドさせて装着させるだけでなく、大型犬など場合には、一旦、帯布押さえ部２４の止着具２４１を外して帯布４１を背当て部２の側面から遊離させ、犬５の左右の後足５２，５２それぞれに通すようにしてもよい。
【００４５】
このように、犬５にハーネス１を装着する際に、各部の長さや大きさを犬５に合わせて調節することで良好に装着させることができ、使用中の装着ずれや犬５への負担を軽減するとともに、後足５２，５２に適切に力を伝達することが可能になり、犬５の歩行を好適に補助することができる。さらに、後足保持部４の長さを、調節具４５において調節し、犬５の大きさや飼い主（使用者）の持ちやすい長さに合わせれば、ハーネス１をより扱いやすくすることができる。また、ハーネス１を犬５から取り外すときは、前記装着時と逆の手順を踏めばよい。
【００４６】
このように、本実施形態のハーネス１では、筋力が低下したり負傷したりしている犬５であっても、その犬５に負担をかけることなく、容易に着脱することができる。また、飼い主は、犬５に装着したハーネス１の持ち手４２を保持して、引いたり緩めたりすることにより、犬５の後足５２，５２の動きを上下方向に補助して、歩行をサポートすることができる。
【００４７】
このとき、後足保持部４の挿通部４４はクッション性を有するように形成されているので、後足５２，５２に局部的な強い負荷をかけることなく好適に力を伝達することができる。また、背当て部２および腹当て部３が表地２ｂ，３ｂと、通気性等を有する裏地２ａ，３ａとを一体にした構成となっているので、ハーネス１の装着によって生じる犬５の胴回りへの負担も分散させることができ、良好な通気性および耐久性も得ることができる。
【００４８】
したがって、飼い主は、かかるハーネス１によって、犬５の腰部をサポートして、ふらつきや転倒などを防止し、困難になっている歩行を良好な装着性のもとで補助することが可能になる。
【産業上の利用可能性】
【００４９】
本発明は、犬などのペットの筋力が衰えた際に胴回りに装着させて、飼い主がペットの歩行を補助するのに好適に利用することができる。
【図面の簡単な説明】
【００５０】
【図１】本発明に係るペット用ハーネスの装着状態を示す説明図である。
【図２】前記ペット用ハーネスの平面図である。
【図３】前記ペット用ハーネスの背当て部を開いた状態を示す展開図である。
【符号の説明】
【００５１】
１      ハーネス
２      背当て部
２ａ    裏地
２ｂ    表地
２１    後側被覆部
２２    スライドファスナー
２３    帯布挿通部
２４    帯布押さえ部
３      腹当て部
３ａ    裏地
３ｂ    表地
３１    帯布
３２    面ファスナー
４      後足保持部
４１    帯布
４２    持ち手
４３    握り部
４４    挿通部
４５    調節具
５      犬（ペット）
【図１】
2007159441.tif 000003
【図２】
2007159441.tif 000004
【図３】
2007159441.tif 000005